(57)【要約】【課題】前方部および後方部において本体部と肌との密着性を向上する。【解決手段】吸収性物品１は、略シート状の本体部２、および、本体部２の両側に設けられた一対の側壁部３を備える。本体部２は、着用者の腹側および背側の肌に接する前方部２１および後方部２３、並びに、前方部２１および後方部２３の間の吸収部２２を備える。側壁部３は、吸収部２２の側方に設けられた立体ギャザー部３２、および、立体ギャザー部３２と連続する折り返し部３１を備える。吸収性物品１では、本体部２の両端部における側方エッジ２４から側壁部３のエッジ３１２までの側壁部３の幅Ｗ１が、吸収部２２の側方における側壁部３の幅Ｗ２よりも小さくされる。その結果、前方部２１および後方部２３における側壁部３の高さを立体ギャザー部３２の高さよりも低くして、前方部２１および後方部２３において本体部２と肌との密着性を向上することができる。【選択図】図１０
2006043326.tif 000002
【特許請求の範囲】
【請求項１】
着用者からの排泄物を受ける吸収性物品であって、
着用者の腹側および背側の肌に接する前方部および後方部、並びに、前記前方部および前記後方部の間の吸収部を有する略シート状の本体部と、
前記前方部、前記吸収部および前記後方部が並ぶ長手方向のほぼ全長に亘って前記本体部の両側に設けられた一対の側壁部と、
を備え、
前記一対の側壁部のそれぞれが、
前記吸収部の側方において前記着用者側に向かって立ち上がる立体ギャザー部と、
前記前方部および前記後方部の側方において、前記立体ギャザー部から連続する部位が前記着用者に接する上面側で前記本体部の中心線側に倒れ、前記本体部の前記長手方向の両端部において倒れた状態で接合により固定される折り返し部と、
を備え、
前記本体部の前記長手方向の少なくとも一方の端部における前記本体部の側方エッジから側壁部のエッジまでの前記側壁部の幅が、前記吸収部の側方における前記側壁部の幅よりも小さいことを特徴とする吸収性物品。
【請求項２】
請求項１に記載の吸収性物品であって、
前記一対の側壁部のそれぞれが、前記前方部および前記後方部において、前記本体部の前記上面とは反対側の背面側で一旦前記中心線側に折り曲げられてから外側に折り曲げられ、さらに前記上面側で前記中心線側に折り返されることを特徴とする吸収性物品。
【請求項３】
請求項１または２に記載の吸収性物品であって、
前記一対の側壁部材のそれぞれが、前記前方部および前記後方部の側方において、前記立体ギャザー部から連続する部位が前記本体部の前記側方エッジから側方に離間した位置にて前記中心線側に折り返されることを特徴とする吸収性物品。
【請求項４】
請求項１ないし３のいずれかに記載の吸収性物品であって、
前記本体部が、
吸収コアと、
前記吸収コアの前記着用者側の主面を覆うトップシートと、
前記吸収コアのもう一方の主面を覆うバックシートと、
を備え、
前記一対の側壁部のそれぞれが、前記吸収部の側方において前記バックシートに接合された部材であり、前記立体ギャザー部の収縮により前記バックシートの一部が前記立体ギャザー部と共に前記着用者側に向かって立ち上がることを特徴とする吸収性物品。
【請求項５】
請求項２に記載の吸収性物品であって、
前記本体部が、
吸収コアと、
前記吸収コアの前記着用者側の主面を覆うトップシートと、
前記吸収コアのもう一方の主面を覆うバックシートと、
を備え、
前記一対の側壁部のそれぞれが、前記吸収部の側方において前記バックシートに接合された部材であり、前記前方部および前記後方部において、前記本体部の前記背面側で前記バックシートの一部と共に一旦前記中心線側に折り曲げられてから外側に折り曲げられることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等に利用される吸収性物品として、トップシートとバックシートとの間に粉砕パルプ等により形成された吸収コアを設けた本体部、および、本体部の両側に取り付けられて尿等の漏出を防止する立体ギャザーを備えるものが使用されている。
【０００３】
このような吸収性物品では、立体ギャザーが着用者の足の付け根近傍の肌に柔軟に接し、排泄物の漏出を防止する。
【０００４】
例えば、特許文献１では、立ち上がり帯材（立体ギャザー）を断面Ｚ字状に折り曲げ、この断面Ｚ字状の底辺部を吸収性物品のトップシートに接合することにより、立ち上がり帯材の高さを十分に確保し、立ち上がり帯材と着用者の足の付け根との間からの排泄物の漏出をより確実に防止する技術が開示されている。
【特許文献１】特開２００１−９５８３９号公報
【発明の開示】
【発明が解決しようとする課題】
【０００５】
ところで、このような吸収性物品では、本体部の腹側（前方部）および背側（後方部）の端部近傍まで立ち上がり帯材が起立状態とされ、両端部のみにおいて非起立状態にて本体部に接合されて固定されるため、着用者の腹側および背側において、ある程度起立した立ち上がり帯材により本体部が着用者の肌から遊離することがある。その結果、排泄物の一部が本体部に吸収される前に立ち上がり帯材まで到達し、尿等の少量の液体が立ち上がり帯材に沿って吸収性物品の前後方向へと流れてしまい、着用者の腹側および背側から漏出する恐れがあった。
【０００６】
本発明は、上記課題に鑑みなされたものであり、前方部および後方部において本体部と肌との密着性を向上することを目的としている。
【課題を解決するための手段】
【０００７】
請求項１に記載の発明は、着用者からの排泄物を受ける吸収性物品であって、着用者の腹側および背側の肌に接する前方部および後方部、並びに、前記前方部および前記後方部の間の吸収部を有する略シート状の本体部と、前記前方部、前記吸収部および前記後方部が並ぶ長手方向のほぼ全長に亘って前記本体部の両側に設けられた一対の側壁部とを備え、前記一対の側壁部のそれぞれが、前記吸収部の側方において前記着用者側に向かって立ち上がる立体ギャザー部と、前記前方部および前記後方部の側方において、前記立体ギャザー部から連続する部位が前記着用者に接する上面側で前記本体部の中心線側に倒れ、前記本体部の前記長手方向の両端部において倒れた状態で接合により固定される折り返し部とを備え、前記本体部の前記長手方向の少なくとも一方の端部における前記本体部の側方エッジから側壁部のエッジまでの前記側壁部の幅が、前記吸収部の側方における前記側壁部の幅よりも小さい。
【０００８】
請求項２に記載の発明は、請求項１に記載の吸収性物品であって、前記一対の側壁部のそれぞれが、前記前方部および前記後方部において、前記本体部の前記上面とは反対側の背面側で一旦前記中心線側に折り曲げられてから外側に折り曲げられ、さらに前記上面側で前記中心線側に折り返される。
【０００９】
請求項３に記載の発明は、請求項１または２に記載の吸収性物品であって、前記一対の側壁部材のそれぞれが、前記前方部および前記後方部の側方において、前記立体ギャザー部から連続する部位が前記本体部の前記側方エッジから側方に離間した位置にて前記中心線側に折り返される。
【００１０】
請求項４に記載の発明は、請求項１ないし３のいずれかに記載の吸収性物品であって、前記本体部が、吸収コアと、前記吸収コアの前記着用者側の主面を覆うトップシートと、前記吸収コアのもう一方の主面を覆うバックシートとを備え、前記一対の側壁部のそれぞれが、前記吸収部の側方において前記バックシートに接合された部材であり、前記立体ギャザー部の収縮により前記バックシートの一部が前記立体ギャザー部と共に前記着用者側に向かって立ち上がる。
【００１１】
請求項５に記載の発明は、請求項２に記載の吸収性物品であって、前記本体部が、吸収コアと、前記吸収コアの前記着用者側の主面を覆うトップシートと、前記吸収コアのもう一方の主面を覆うバックシートとを備え、前記一対の側壁部のそれぞれが、前記吸収部の側方において前記バックシートに接合された部材であり、前記前方部および前記後方部において、前記本体部の前記背面側で前記バックシートの一部と共に一旦前記中心線側に折り曲げられてから外側に折り曲げられる。
【発明の効果】
【００１２】
本発明では、前方部および後方部において本体部と肌との密着性を向上することができる。請求項２の発明では、立体ギャザー部の形状安定性を向上することができる。請求項５の発明では、立体ギャザー部の形状安定性をさらに向上することができる。
【００１３】
請求項３の発明では、本体部に取り付けられた補助吸収具を確実に保持することができる。請求項４の発明では、吸収部の側方において側壁部を容易に大きく立ち上げることができる。
【発明を実施するための最良の形態】
【００１４】
図１は、本発明の一の実施の形態に係る吸収性物品１を示す平面図である。吸収性物品１は、略シート状の本体部２、並びに、本体部２の長手方向（すなわち、図１中のＹ方向）のほぼ全長に亘って本体部２の（＋Ｘ）側および（−Ｘ）側に設けられた一対の側壁部３を備え、着用者からの排泄物を受ける使い捨ておむつ等に利用される。図１では、本体部２の（＋Ｚ）側の主面が、着用者に接する面（以下、「上面」という。）となる。
【００１５】
図１に示すように、本体部２は、着用者の腹側および背側の肌に接する前方部２１および後方部２３、並びに、前方部２１および後方部２３の間の吸収部２２を備え、前方部２１、吸収部２２および後方部２３はＹ方向に沿って並ぶ。
【００１６】
側壁部３は、Ｙ方向に長い帯状の部材であり、本体部２の両側に接合される。側壁部３では、Ｙ方向に伸びる複数の弾性部材３３が、吸収部２２の側方（すなわち、（＋Ｘ）側および（−Ｘ）側）の部位に接合されている。図１に示すように吸収性物品１を広げた状態では、弾性部材３３は伸張状態となっている。図２は、吸収性物品１を示す斜視図である。図２に示すように、吸収性物品１では、弾性部材３３が収縮することにより、吸収部２２の側方において側壁部３が着用者側に向かって（すなわち、上面側で）立ち上がり、着用時に着用者の足の付け根近傍に当接する立体ギャザー（いわゆる、レッグギャザー）が形成される。以下、側壁部３の立体ギャザーを形成する部位を、「立体ギャザー部３２」という。
【００１７】
また、側壁部３では、前方部２１および後方部２３の側方において、立体ギャザー部３２から連続する部位が、本体部２のＹ方向に沿う中心線（図１中の符号２Ｊ参照）側に向かって折り返され、本体部２の長手方向の前端部および後端部（すなわち、前方部２１の（＋Ｙ）側の端部、および、後方部２３の（−Ｙ）側の端部）において折り返しが接合により上面側に固定される。以下、側壁部３の折り返される部位を、「折り返し部３１」という。
【００１８】
図３ないし図５は、吸収性物品１の（＋Ｘ）側の一部を図１中に示すＡ−Ａ、Ｂ−ＢおよびＣ−Ｃの位置でＹ方向に垂直な面で切断した部分断面図である。図３は、本体部２の吸収部２２および側壁部３の立体ギャザー部３２を示す。図４および図５は、本体部２の後方部２３および側壁部３の折り返し部３１を示し、図４は後端部と立体ギャザー部３２との間における部分断面図、図５は後端部における部分断面図である。なお、本体部２の前方部２１（図１参照）、および、前方部２１の側方に設けられる側壁部３の折り返し部３１の構造は図４および図５とほぼ同様であり、また、吸収性物品１の（−Ｘ）側の構造は図３ないし図５に示す（＋Ｘ）側の構造と対称である。
【００１９】
図３に示すように、本体部２は、吸液性の吸収コア２ｂ、吸収コア２ｂの着用者側（すなわち、（＋Ｚ）側）の主面を覆うトップシート２ａ、および、吸収コア２ｂのもう一方の主面を覆うバックシート２ｃを備える。トップシート２ａとバックシート２ｃとは、ホットメルト等の接着剤により、吸収コア２ｂの周囲にて接合される。本体部２では、図１に太い破線にて示すように、吸収部２２における吸収コア２ｂのＸ方向の幅が、前方部２１および後方部２３における幅よりも小さくされ、かつ厚くされる。
【００２０】
図３に示すトップシート２ａは透液性の材料、例えば、親水性繊維により形成された不織布であり、着用者からの排泄物の水分を捕捉して吸収コア２ｂへと移動させる。トップシート２ａとして利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２ａとして、表面を活性剤により親水処理した疎水性繊維（例えば、ポリプロピレン、ポリエチレン、ポリエステル、ポリアミド、ナイロン）により形成された透液性の不織布が利用されてもよく、また、開孔を有するプラスチックフィルムが利用されてもよい。
【００２１】
吸収コア２ｂは、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性シートにより包み込んで形成され、トップシート２ａを透過した水分を吸収して迅速に固定する。親水性繊維を包むティッシュペーパー等は、親水性繊維の型崩れ、および、吸水性ポリマーの脱落を防止する。
【００２２】
バックシート２ｃは撥水性または不透液性の不織布であり、トップシート２ａを透過した水分、および、吸収コア２ｂに一旦吸収された水分が、本体部２の外側（すなわち、（−Ｚ）側）にしみ出すのを防止する。バックシート２ｃとして利用される不織布は、例えば、スパンボンド不織布やメルトブロー不織布、ＳＭＳ（スパンボンド・メルトブロー・スパンボンド）不織布であり、必要に応じて撥水処理が施されてもよい。なお、撥水性または不透液性のプラスチックフィルムや、上記不織布とプラスチックフィルムとの複合材料等がバックシート２ｃとして利用されてもよい。この場合、着用者の快適性の観点からは、通気性を有するプラスチックフィルムが利用されることが好ましい。
【００２３】
側壁部３は、バックシート２ｃと同様に、撥水性または不透液性の不織布（例えば、スパンボンド不織布やメルトブロー不織布、ＳＭＳ不織布）やプラスチックフィルム、あるいは、これらの複合材料により形成される。
【００２４】
図３ないし図５に示すように、側壁部３は、本体部２の上面とは反対側の面（以下、「背面」という。）であるバックシート２ｃの外側の面に接合される。吸収部２２の側方では、図３に示すように、弾性部材３３の収縮による立体ギャザー部３２の収縮により、トップシート２ａおよびバックシート２ｃの一部が立体ギャザー部３２と共に着用者側に向かって立ち上がる。吸収性物品１が使用される際には、吸収コア２ｂより幅が広く吸液性に優れた補助吸収具（いわゆる、尿パッド等）が併用される場合がある。この場合、図３中に二点鎖線にて示すように、補助吸収具９は吸収部２２上に載置され、両側から側壁部３の立体ギャザー部３２に挟まれることにより吸収性物品１の本体部２に取り付けられる。
【００２５】
また、本体部２の前方部２１および後方部２３では、図４に示すように、側壁部３がトップシート２ａおよびバックシート２ｃの一部と共に略Ｚ字状に２度折り畳まれて本体部２の背面側に接合され、本体部２の側方エッジ２４から側方に離間した位置にて上面側で本体部２の中心線側に折り返され、本体部２を背面側から包み込むように巻き上げられた折り返し部３１が形成される。
【００２６】
さらに、本体部２の後端部では、図５に示すように、側壁部３の折り返された部位が、本体部２の上面（すなわち、トップシート２ａ）、および、本体部２の側方エッジ２４から折り返し位置３１１までの間の部位との接合により固定され、側壁部３の着用者側への起立が阻害される（本体部２の前端部においても同様。）。側壁部３では、図５に示す状態において、折り返し部３１の折り返し位置３１１から本体部２の側方エッジ２４までの距離が５ｍｍ以上１５ｍｍ以下（好ましくは、約７ｍｍ）とされ、折り返し位置３１１から内側に向かう側壁部３のエッジ３１２までの距離が２０ｍｍ以上３５ｍｍ以下（好ましくは、約２５ｍｍ）とされる。
【００２７】
図６は、吸収性物品１の製造工程の流れを示す図である。図７ないし図９は、製造途上の吸収性物品１のＢ−Ｂ断面（図１参照）、すなわち、後方部２３における部分断面図であり、前方部２１の対応する部位の形状もほぼ同様である。吸収性物品１が製造される際には、まず、粉砕したパルプ繊維等に吸水性ポリマーが混合されたものがティッシュペーパー等により包まれて吸収コア２ｂが形成される（ステップＳ１１）。続いて、トップシート２ａおよびバックシート２ｃにより、吸収コア２ｂが（＋Ｚ）側および（−Ｚ）側から挟み込まれ、吸収コア２ｂの周囲にてトップシート２ａおよびバックシート２ｃがホットメルト等によって接着されることにより本体部２が形成される（ステップＳ１２）。
【００２８】
本体部２が形成されると、図７に示すように、略矩形の帯状の部材が側壁部３として本体部２のバックシート２ｃ側に接着剤等により接合される（ステップＳ１３）。そして、図８に示すように、本体部２の前方部２１および後方部２３の側方において、側壁部３が、本体部２の背面側でトップシート２ａおよびバックシート２ｃの一部と共に一旦内側（すなわち、本体部２の中心線側）に折り曲げられる（ステップＳ１４）。折り曲げられた側壁部３の一部は、バックシート２ｃおよび側壁部３のバックシート２ｃ上に接合された部位と接合される。本体部２の前方部２１および後方部２３ではさらに、図９に示すように、側壁部３が外側（すなわち、図９中の（＋Ｘ）側）に折り曲げられて本体部２の側方エッジ２４より（＋Ｘ）側に広がり、本体部２上では対向するトップシート２ａ同士が接着剤等により接合される（ステップＳ１５）。
【００２９】
図１０は、ステップＳ１５の完了後の吸収性物品１を示す平面図である。吸収性物品１では、上述のように、本体部２の前方部２１および後方部２３において側壁部３の一部が本体部２の背面側に折り返されることにより、本体部２の長手方向の前端部および後端部における側方エッジ２４から側壁部３のエッジ３１２までの側壁部３の幅Ｗ１が、本体部２の吸収部２２の側方における側方エッジ２４（側方エッジ２４が明瞭でない場合は、前方部２１および後方部２３の側方エッジ２４を結んだ仮想的な直線に対応するものとし、図１０中では二点鎖線にて示している。）から側壁部３のエッジ３１２までの側壁部３の幅Ｗ２よりも小さくなる。
【００３０】
側壁部３が外側に折り曲げられると、図４に示すように、本体部２の前方部２１および後方部２３の側方において、本体部２の側方エッジ２４から側方に離間した折り返し位置３１１にて側壁部３が上面側で中心線側に折り返されて折り返し部３１が形成され（ステップＳ１６）、さらに、図５に示すように、本体部２の前端部および後端部において、側壁部３の折り返された部位がトップシート２ａ、および、側壁部３の側方エッジ２４から折り返し位置３１１までの間の部位との接合により固定される（ステップＳ１７）。そして、図２に示すように、側壁部３の立体ギャザー部３２に予め伸張状態で接合されている弾性部材３３が収縮することにより、側壁部３が着用者側に向かって立ち上がって立体ギャザーが形成される。
【００３１】
以上に説明したように、吸収性物品１では、本体部２の吸収部２２の側方において立体ギャザー部３２が立ち上がり、前方部２１および後方部２３において立体ギャザー部３２と連続する側壁部３の部位が上面側で本体部２の中心線側に折り返され、さらに、本体部２の前端部および後端部において固定されて折り返し部３１が形成される。吸収性物品１では、本体部２の前端部および後端部における側方エッジ２４から側壁部３のエッジ３１２までの側壁部３の幅Ｗ１が、本体部２の吸収部２２の側方における側方エッジ２４から側壁部３のエッジ３１２までの側壁部３の幅Ｗ２よりも小さくされるため、吸収性物品１の着用時において、前方部２１および後方部２３における側壁部３の高さを立体ギャザー部３２の高さよりも低くすることができる。その結果、着用者が側臥位にある場合であっても、前方部２１および後方部２３において本体部２と肌との密着性を向上することができる。また、側壁部３が本体部２の上面側で中心線側に折り返され、本体部２の前端部および後端部において固定されて形成される折り返し部３１が、側壁部３を伝わる排泄物に対する流れ止めの役割を果たす。その結果、肌や側壁部３を伝わる少量の液体（例えば、尿等の排泄物）の前後方向への拡散をも抑制し、吸収性物品１の前後部（すなわち、着用者の腹側および背側）からの排泄物の漏出を防止することができる。
【００３２】
また、吸収性物品１では、本体部２の前方部２１および後方部２３の側方において、側壁部３が本体部２の上面側で中心線側に折り返される前に、背面側で一旦中心線側に折り曲げられてから外側に折り曲げられる。このため、立体ギャザー部３２の形状安定性を向上することができ、立体ギャザー部３２の高さを高くした場合においても、立体ギャザー部３２が本体部２の外側に向かって倒れたり捻れたりすることが防止され、また、内側に向かって倒れて吸収部２２の一部を覆うことにより排泄物の水分の吸収を阻害することが防止される。その結果、吸収性物品１の側部（すなわち、着用者の足の付け根近傍）からの排泄物の漏出をより確実に防止することができる。吸収性物品１では、側壁部３がトップシート２ａおよびバックシート２ｃの一部と共に折り曲げられているため、立体ギャザーの形状安定性をさらに向上することができる。
【００３３】
吸収性物品１では、本体部２の前方部２１および後方部２３の側方において、本体部２の側方エッジ２４から側方に離間した折り返し位置３１１にて本体部２の中心線側に折り返されるため、吸収部２２近傍において補助吸収具９を収容する空間が大きくなり、本体部２への補助吸収具９の取り付けおよび取り外しが容易とされるだけでなく、本体部２に取り付けられた補助吸収具９が、両側から当接する一対の立体ギャザー部３２により両側から押圧され、側方（すなわち、図３中のＸ方向）への動きが規制される。さらに、前方部２１や後方部２３においても、図４に示すように折り返し位置３１１を本体部２の側方エッジ２４から側方に離間させることにより形成される空間に補助吸収具９の隅が容易に安定して保持される。その結果、吸収性物品１では、吸収性物品１の着用時における補助吸収具９の巻き上がりやズレを防止して補助吸収具９を確実に保持することができる。
【００３４】
また、立体ギャザー部３２において側壁部３がトップシート２ａおよびバックシート２ｃの一部と共に立ち上がることにより、吸収部２２の側方において側壁部３を容易に大きく立ち上げることができる。その結果、補助吸収具９をより確実に保持することができる。
【００３５】
以上、本発明の実施の形態について説明してきたが、本発明は上記実施の形態に限定されるものではなく、様々な変更が可能である。
【００３６】
例えば、折り返し部３１の折り返し位置３１１から側壁部３のエッジ３１２までの距離は、本体部２に取り付けられる補助吸収具９の幅や厚さ等に合わせて様々に変更されてよい。また、側壁部３の折り返し位置３１１からエッジ３１２までの部位の幅は、側方エッジ２４から折り返し位置３１１までの部位の幅より小さくてもよく、この場合、対向する側壁部３同士のみが接合されることとなる。
【００３７】
側壁部３の折り返し部３１は、必ずしも本体部２の側方エッジ２４から側方に離間した折り返し位置３１１にて折り返される必要はなく、補助吸収具９の着脱が容易にできる場合には、側方エッジ２４にて本体部２の中心線側に倒されてもよい。また、折り返し部３１は、必ずしも帯状の部材が本体部２を背面側から包み込むように折り返されて形成される必要はなく、例えば、帯状の部材の下面の一方のエッジを本体部２の上面の側方エッジ２４に相当する位置に取り付けることにより、上記実施の形態における折り返し部３１（および立体ギャザー部３２）と実質的に同様の形状が形成されてもよい。すなわち、側壁部３の立体ギャザー部３２から連続する部位が 上面側で本体部２の中心線側に倒れ、本体部２の前端部および後端部において倒れた状態で接合により固定されるのであれば、折り返し部３１は様々な手法で設けられてよい。
【００３８】
立体ギャザー部３２の形状安定性の向上の観点からは、本体部２の前方部２１および後方部２３において、側壁部３が本体部２の背面側で一旦折り畳まれて接合されることが望ましいが、立体ギャザー部３２が十分な形状安定性を有する場合には、側壁部３の折り畳みは省略されてもよい。この場合、前方部２１および後方部２３における側壁部３の高さを立体ギャザー部３２の高さよりも低くするために、例えば、吸収部２２から前端部および後端部に近づくに従って幅が漸次減少する部材が、側壁部３として本体部２の側方に取り付けられる。
【００３９】
また、図１１に示すように、帯状の部材が側壁部３として本体部２の両側に接合され、前方部２１および後方部２３の側方において内側（本体部２の中心線側）に折り曲げられ、さらに、図１１中のＤ−Ｄ断面における部分断面図である図１２に示すように、折り返し位置３１１において本体部２の上面側にて再度内側に折り返されてもよい。この場合であっても、図１２に示すように、本体部２の前端部および後端部における側方エッジ２４から折り返し位置３１１を経由して側壁部３のエッジ３１２（すなわち、着用者の肌に接する側壁部３の頂部）までの側壁部３の幅（図１１中の幅Ｗ１およびＷ３）が、本体部２の吸収部２２の側方における側方エッジ２４から折り返し位置３１１を経由して側壁部３のエッジ３１２までの側壁部３の幅（図１１中の幅Ｗ２）よりも小さくされるため、前方部２１および後方部２３における側壁部３の高さを立体ギャザー部３２の高さよりも低くして、前方部２１および後方部２３において本体部２と肌との密着性を向上することができる。なお、幅Ｗ１およびＷ３の一方のみが幅Ｗ２より小さくされてもよい。
【００４０】
側壁部３とバックシート２ｃとが同一の材質とされる場合には、側壁部３をバックシート２ｃに接合する必要はなく、側壁部３およびバックシート２ｃが一体成形された部材が用いられてよい。
【００４１】
吸収性物品１では、スパンレース法やニードルパンチ法、サーマルボンド法、スパンボンド法、ケミカルボンド法、エアスルー法等の様々な製法により製造された不織布を、トップシート２ａ、バックシート２ｃおよび側壁部３として使用することができる。
【００４２】
図１および図２に示す吸収性物品１は、カバー部材に取り付けられる使い捨ておむつとして使用されるが、吸収性物品１の構造は、単独で着用される使い捨ておむつ、例えば、腰の位置でバンドを用いて固定されるものや、パンツ型のものに利用することもできる。
【図面の簡単な説明】
【００４３】
【図１】一の実施の形態に係る吸収性物品を示す平面図である。
【図２】吸収性物品を示す斜視図である。
【図３】吸収性物品の部分断面図である。
【図４】吸収性物品の部分断面図である。
【図５】吸収性物品の部分断面図である。
【図６】吸収性物品の製造工程の流れを示す図である。
【図７】吸収性物品の部分断面図である。
【図８】吸収性物品の部分断面図である。
【図９】吸収性物品の部分断面図である。
【図１０】吸収性物品を示す平面図である。
【図１１】吸収性物品の他の例を示す平面図である。
【図１２】吸収性物品の他の例を示す部分断面図である。
【符号の説明】
【００４４】
１    吸収性物品
２    本体部
２ａ    トップシート
２ｂ    吸収コア
２ｃ    バックシート
２Ｊ    中心線
３    側壁部
２１    前方部
２２    吸収部
２３    後方部
２４    側方エッジ
３１    折り返し部
３２    立体ギャザー部
３１１    折り返し位置
３１２    エッジ
Ｓ１１〜Ｓ１７    ステップ
【図１】
2006043326.tif 000003
【図２】
2006043326.tif 000004
【図３】
2006043326.tif 000005
【図４】
2006043326.tif 000006
【図５】
2006043326.tif 000007
【図６】
2006043326.tif 000008
【図７】
2006043326.tif 000009
【図８】
2006043326.tif 000010
【図９】
2006043326.tif 000011
【図１０】
2006043326.tif 000012
【図１１】
2006043326.tif 000013
【図１２】
2006043326.tif 000014